(57)【要約】【課題】本発明は送信相手先の受信能力を簡単かつ適切に取得し、ファクシミリ送信を適切かつ効率的に行うファクシミリ装置を提供する。【解決手段】ファクシミリ装置１は、記憶部７に、送信相手先のメールアドレスと対応させて、当該相手先の受信能力を送信相手先毎に記憶し、主制御部２が、送達確認要求を付加したファクシミリ送信時に、当該送信モードを記憶部７に記憶させ、当該送信先からの送達確認応答メールで受信能力が通知されていると、当該受信能力を当該送信相手先の受信能力として記憶部７に記憶させ、当該送達確認応答メールで受信能力が非通知であっても、当該送達確認応答メールで通信結果が良好であることが確認されると、記憶部７に記憶させた送信モードを、当該送信相手先の送信可能モードとして記憶部７に記憶させる。したがって、送信相手先の受信能力を簡単かつ適切に取得することができる。【選択図】          図１
2004328089.tif 000002
【特許請求の範囲】
【請求項１】
ネットワークに接続され、当該ネットワークを経由して、少なくとも、画像処理手段で送信モードに応じたパラメータで画像処理した画像ファイルを送達確認要求を付加してファクシミリ送信するＩＴＵ−Ｔ勧告Ｔ．３７フルモード機能を備えたファクシミリ装置において、送信相手先のメールアドレスと対応させて、設定操作された当該相手先の受信能力または前記送達確認要求に基づく当該相手先からの送達確認応答メールで通知された当該相手先の受信能力を送信相手先毎に記憶する相手先情報記憶手段と、少なくとも前記送達確認要求を付加したファクシミリ送信時の送信モードを記憶する送信モード記憶手段と、前記送達確認要求を付加したファクシミリ送信時に、当該送信モードを前記送信モード記憶手段に記憶させ、当該送信先からの前記送達確認応答メールで受信能力が通知されていると、当該受信能力を当該送信相手先の受信能力として前記相手先情報記憶手段に記憶させ、当該送達確認応答メールで受信能力が非通知であっても、当該送達確認応答メールで通信結果が良好であることが確認されると、前記送信モード記憶手段に記憶させた前記送信モードを、当該送信相手先の送信可能モードとして前記相手先情報記憶手段に記憶させる制御手段と、を備えていることを特徴とするファクシミリ装置。
【請求項２】
前記制御手段は、前記送達確認要求を付加したファクシミリ送信時に、当該送信先からの前記送達確認応答メールで受信能力が非通知であっても、当該送達確認応答メールで通信結果が不良好であることが確認されると、前記送信モード記憶手段に記憶させた前記送信モードを、当該送信相手先の送信禁止モードとして前記相手先情報記憶手段に記憶させることを特徴とする請求項１記載のファクシミリ装置。
【請求項３】
前記ファクシミリ装置は、送信用画像ファイルを記憶する画像記憶手段を備え、前記制御手段は、少なくとも前記送達確認要求を付加したファクシミリ送信時に、前記画像処理手段で標準のパラメータ以外のパラメータで画像処理した画像ファイルをファクシミリ送信した場合には、当該送信先からの前記送達確認応答メールを受信するまで当該画像ファイルを前記画像記憶手段に保存し、当該送信先から通信結果が不良好である旨の送達確認応答メールを受信すると、前記画像記憶手段の画像ファイルを標準のパラメータの画像ファイルに前記画像処理手段で変換した後、再度、当該送信先にファクシミリ送信することを特徴とする請求項１または請求項２記載のネットワークファクシミリ装置。
【発明の詳細な説明】
【０００１】
【発明の属する技術分野】
本発明は、ファクシミリ装置に関し、詳細には、送信相手先の受信能力を簡単かつ適切に取得して、ネットワークを利用した電子メールでの画像ファイルのファクシミリ送信を適切かつ効率的に行うファクシミリ装置に関する。
【０００２】
【従来の技術】
【特許文献１】
特開２０００−３３２９４０号公報
【特許文献２】
特開２００１−２６５６７５号公報
【特許文献３】
特開２００２−１９９１９８号公報
【特許文献４】
特開２０００−１８３９４９号公報
【特許文献５】
特開２００１−２０３８４７号公報
【特許文献６】
特開２００２−２１８１５２号公報
【特許文献７】
特開２００２−２５２７３６号公報
ファクシミリ装置は、従来、それ自体単独で動作するいわゆるスタンドアロンで使用されており、従来のファクシミリ通信手順（伝送手順）は、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）−Ｔ勧告Ｔ．３０に従って実行される。
【０００３】
そして、一般のＧ３／Ｇ４のファクシミリ通信手順では、例えば、Ｇ３のＤＩＳ／ＤＣＳ信号やＧ４のＣＳＳ／ＲＳＳＰ信号のように、送信時に機能交換を行って、送信先で処理可能な最も通信速度の速い機能で送信することが可能となっており、この機能を記憶して、次回からの送信に利用することもできる。
【０００４】
また、近時、その機能の向上と通信網の発達によって、ＬＡＮ（Ｌｏｃａｌ  Ａｒｅａ  Ｎｅｔｗｏｒｋ）やインターネット等のネットワーク網を介して相手装置との間で画情報を通信する機能を備えたファクシミリ装置が出現している（特許文献１〜特許文献６参照）。
【０００５】
そして、このようなネットワークを利用したファクシミリ装置は、特許文献７に記載されているように、ＩＴＵ−Ｔ勧告Ｔ．３７のシンプルモードを利用している。
【０００６】
【発明が解決しようとする課題】
しかしながら、このようなファクシミリ装置にあっては、ネットワーク（インターネット）を利用したファクシミリ装置におけるＩＴＵ−Ｔ勧告Ｔ．３７のシンプルモードを利用していたため、インターネットを経由した画像データ（画像ファイル）の送信を行うことはできるが、インターネットを介してファクシミリ通信する際に、相手先の機能を確認することができず、改良の必要があった。
【０００７】
すなわち、インターネットを利用したファクシミリ装置におけるＩＴＵ−Ｔ勧告Ｔ．３７のシンプルモードは、能力交渉手順を持たないため、基本的にはデフォルトパラメータ（Ａ４／２００ｄｐｉまたは２００ｘ１００ｄｐｉ／ＭＨ）での送受信となる。
【０００８】
具体的には、送信側のファクシミリ装置は、相手装置の機能を確認することができず、受信側装置が確実に備えている基本機能、例えば、受信側がＭＭＲ（Ｍｏｄｉｆｉｅｄ  ＭＲ  ）やＪＢＩＧ（ジョイントバイナリイメージ群）等の圧縮方式に対応している場合であっても、標準の圧縮モードであるＭＨ（Ｍｏｄｉｆｉｅｄ  Ｈｕｆｆｍａｎ）方式で画像ファイルを圧縮して送信を試みることとなり、インターネットを利用したファクシミリ通信が不便であるとともに、常に標準の圧縮モードで送信すると、データ量が多くなり、ネットワークに負荷をかけるだけでなく、インターネットプロバイダとの通信時間が多くなって通信コストが高くつくという問題があった。
【０００９】
ところが、ＩＴＵ−Ｔ勧告Ｔ．３７フルモードは、送達確認応答メールを利用して、送信側ファクシミリ装置に受信能力を通知する機能を持つことができ、この場合、送信側ファクシミリ装置は、宛先毎に相手先ファクシミリ装置の受信能力を記憶する機能を有する必要があり、一般的には、ユーザの操作によって設定することもできる。
【００１０】
ところが、送信側ファクシミリ装置が、ＩＴＵ−Ｔ勧告Ｔ．３７フルモード機能を備えていても、受信側ファクシミリ装置が送達確認応答メールに受信能力を表示（通知）しないと、結局は、その機能を円滑に利用することができず、ユーザが設定を拡張する操作を行わない限り、デフォルトのパラメータでの送信しか実現することができない。
【００１１】
そこで、本発明は、ユーザが面倒な登録操作を行うことなく、受信能力の表示（通知）機能を有していないファクシミリ装置に対しても、ＩＴＵ−Ｔ勧告Ｔ．３７フルモードを有している場合と同様の拡張機能を利用したファクシミリ送信を行って、利用性を向上させつつ備えている能力を有効に活用するファクシミリ装置を提供することを目的としている。
【００１２】
そこで、請求項１記載の発明は、ネットワークに接続され、ＩＴＵ−Ｔ勧告Ｔ．３７フルモード機能で、当該ネットワークを経由して、少なくとも、画像処理手段で送信モードに応じたパラメータで画像処理した画像ファイルを送達確認要求を付加してファクシミリ送信するに際して、相手先情報記憶手段に、送信相手先のメールアドレスと対応させて、設定操作された当該相手先の受信能力または送達確認要求に基づく当該相手先からの送達確認応答メールで通知された当該相手先の受信能力を送信相手先毎に記憶し、制御手段が、送達確認要求を付加したファクシミリ送信時に、当該送信モードを送信モード記憶手段に記憶させ、当該送信先からの送達確認応答メールで受信能力が通知されていると、当該受信能力を当該送信相手先の受信能力として相手先情報記憶手段に記憶させ、当該送達確認応答メールで受信能力が非通知であっても、当該送達確認応答メールで通信結果が良好であることが確認されると、送信モード記憶手段に記憶させた送信モードを、当該送信相手先の送信可能モードとして相手先情報記憶手段に記憶させることにより、受信側が送達確認応答メールに受信能力を通知する機能を有していない場合にも、ＩＴＵ−Ｔ勧告Ｔ．３７フルモードと同等の利用性を実現して、送信相手先の受信能力を簡単かつ適切に取得し、ネットワークを利用した画像ファイルのファクシミリ送信を適切かつ効率的に行うことのできるファクシミリ装置を提供することを目的としている。
【００１３】
請求項２記載の発明は、制御手段が、送達確認要求を付加したファクシミリ送信時に、当該送信先からの送達確認応答メールで受信能力が非通知であっても、当該送達確認応答メールで通信結果が不良好であることが確認されると、送信モード記憶手段に記憶させた送信モードを、当該送信相手先の送信禁止モードとして相手先情報記憶手段に記憶させることにより、利用できない通信モードで不用意にファクシミリ送信することを未然に防止し、ネットワークを利用した画像ファイルのファクシミリ送信をより一層適切かつ効率的に行うことのできるファクシミリ装置を提供することを目的としている。
【００１４】
請求項３記載の発明は、制御手段が、少なくとも送達確認要求を付加したファクシミリ送信時に、画像処理手段で標準のパラメータ以外のパラメータで画像処理した画像ファイルをファクシミリ送信した場合には、当該送信先からの送達確認応答メールを受信するまで当該画像ファイルを画像記憶手段に保存し、当該送信先から通信結果が不良好である旨の送達確認応答メールを受信すると、画像記憶手段の画像ファイルを標準のパラメータの画像ファイルに画像処理手段で変換した後、再度、当該送信先にファクシミリ送信することにより、送信ＮＧとなった画像ファイルを適切な状態で再送し、ネットワークを利用した画像ファイルのファクシミリ送信をより一層適切かつより一層効率的に行うことのできるファクシミリ装置を提供することを目的としている。
【００１５】
【課題を解決するための手段】
請求項１記載の発明のファクシミリ装置は、ネットワークに接続され、当該ネットワークを経由して、少なくとも、画像処理手段で送信モードに応じたパラメータで画像処理した画像ファイルを送達確認要求を付加してファクシミリ送信するＩＴＵ−Ｔ勧告Ｔ．３７フルモード機能を備えたファクシミリ装置において、送信相手先のメールアドレスと対応させて、設定操作された当該相手先の受信能力または前記送達確認要求に基づく当該相手先からの送達確認応答メールで通知された当該相手先の受信能力を送信相手先毎に記憶する相手先情報記憶手段と、少なくとも前記送達確認要求を付加したファクシミリ送信時の送信モードを記憶する送信モード記憶手段と、前記送達確認要求を付加したファクシミリ送信時に、当該送信モードを前記送信モード記憶手段に記憶させ、当該送信先からの前記送達確認応答メールで受信能力が通知されていると、当該受信能力を当該送信相手先の受信能力として前記相手先情報記憶手段に記憶させ、当該送達確認応答メールで受信能力が非通知であっても、当該送達確認応答メールで通信結果が良好であることが確認されると、前記送信モード記憶手段に記憶させた前記送信モードを、当該送信相手先の送信可能モードとして前記相手先情報記憶手段に記憶させる制御手段と、を備えていることにより、上記目的を達成している。
【００１６】
上記構成によれば、ネットワークに接続され、ＩＴＵ−Ｔ勧告Ｔ．３７フルモード機能で、当該ネットワークを経由して、少なくとも、画像処理手段で送信モードに応じたパラメータで画像処理した画像ファイルを送達確認要求を付加してファクシミリ送信するに際して、相手先情報記憶手段に、送信相手先のメールアドレスと対応させて、設定操作された当該相手先の受信能力または送達確認要求に基づく当該相手先からの送達確認応答メールで通知された当該相手先の受信能力を送信相手先毎に記憶し、制御手段が、送達確認要求を付加したファクシミリ送信時に、当該送信モードを送信モード記憶手段に記憶させ、当該送信先からの送達確認応答メールで受信能力が通知されていると、当該受信能力を当該送信相手先の受信能力として相手先情報記憶手段に記憶させ、当該送達確認応答メールで受信能力が非通知であっても、当該送達確認応答メールで通信結果が良好であることが確認されると、送信モード記憶手段に記憶させた送信モードを、当該送信相手先の送信可能モードとして相手先情報記憶手段に記憶させるので、受信側が送達確認応答メールに受信能力を通知する機能を有していない場合にも、ＩＴＵ−Ｔ勧告Ｔ．３７フルモードと同等の利用性を実現して、送信相手先の受信能力を簡単かつ適切に取得することができ、ネットワークを利用した画像ファイルのファクシミリ送信を適切かつ効率的に行うことができる。
【００１７】
この場合、例えば、請求項２に記載するように、前記制御手段は、前記送達確認要求を付加したファクシミリ送信時に、当該送信先からの前記送達確認応答メールで受信能力が非通知であっても、当該送達確認応答メールで通信結果が不良好であることが確認されると、前記送信モード記憶手段に記憶させた前記送信モードを、当該送信相手先の送信禁止モードとして前記相手先情報記憶手段に記憶させるものであってもよい。
【００１８】
上記構成によれば、制御手段が、送達確認要求を付加したファクシミリ送信時に、当該送信先からの送達確認応答メールで受信能力が非通知であっても、当該送達確認応答メールで通信結果が不良好であることが確認されると、送信モード記憶手段に記憶させた送信モードを、当該送信相手先の送信禁止モードとして相手先情報記憶手段に記憶させるので、利用できない通信モードで不用意にファクシミリ送信することを未然に防止することができ、ネットワークを利用した画像ファイルのファクシミリ送信をより一層適切かつ効率的に行うことができる。
【００１９】
また、例えば、請求項３に記載するように、前記ファクシミリ装置は、送信用画像ファイルを記憶する画像記憶手段を備え、前記制御手段は、少なくとも前記送達確認要求を付加したファクシミリ送信時に、前記画像処理手段で標準のパラメータ以外のパラメータで画像処理した画像ファイルをファクシミリ送信した場合には、当該送信先からの前記送達確認応答メールを受信するまで当該画像ファイルを前記画像記憶手段に保存し、当該送信先から通信結果が不良好である旨の送達確認応答メールを受信すると、前記画像記憶手段の画像ファイルを標準のパラメータの画像ファイルに前記画像処理手段で変換した後、再度、当該送信先にファクシミリ送信するものであってもよい。
【００２０】
上記構成によれば、制御手段が、少なくとも送達確認要求を付加したファクシミリ送信時に、画像処理手段で標準のパラメータ以外のパラメータで画像処理した画像ファイルをファクシミリ送信した場合には、当該送信先からの送達確認応答メールを受信するまで当該画像ファイルを画像記憶手段に保存し、当該送信先から通信結果が不良好である旨の送達確認応答メールを受信すると、画像記憶手段の画像ファイルを標準のパラメータの画像ファイルに画像処理手段で変換した後、再度、当該送信先にファクシミリ送信するので、送信ＮＧとなった画像ファイルを適切な状態で再送することができ、ネットワークを利用した画像ファイルのファクシミリ送信をより一層適切かつより一層効率的に行うことができる。
【００２１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２２】
図１〜図３は、本発明のファクシミリ装置の一実施の形態を示す図であり、図１は、本発明のファクシミリ装置の一実施の形態を適用したファクシミリ装置１の要部ブロック構成図である。
【００２３】
図１において、ファクシミリ装置１は、主制御部２、スキャナ３、プロッタ４、操作部５、表示部６、記憶部７、通信制御部８、ＤＣＲ（符号化・復号化部）９及びＬＡＮ通信制御部１０等を備えており、上記各部は、バス１１により接続されている。
【００２４】
スキャナ３は、例えば、ＣＣＤ（Ｃｈａｒｇｅ  Ｃｏｕｐｌｅｄ  Ｄｅｖｉｃｅ）を利用したラインイメージセンサ等が用いられており、一般にＡＤＦを備えている。ＡＤＦには、複数枚の原稿がセットされ、ＡＤＦは、セットされた原稿を１枚ずつスキャナ３の原稿読取位置に送給する。スキャナ３は、ＡＤＦから搬送されてきた原稿を走査し、原稿の画像を所定の解像度で読み取る。
【００２５】
プロッタ４としては、例えば、サーマル記録装置、電子写真式記録装置、あるいは、インク噴射式記録装置等が用いられており、プロッタ４は、記録紙に、受信画像やスキャナ３で読み取られた原稿の画像等を記録出力するとともに、各種レポートを記録紙に記録出力する。
【００２６】
操作部５は、テンキーやスタートキー等の操作キー、各種ファンクションキード及びメニューキー等を備えるとともに、ディスプレイ、例えば、液晶ディスプレイ等を備えている。操作部５の操作キーからは、送信相手先の電話番号やメールアドレス等の送信操作や送信相手先の受信能力等の各種入力操作及び各種命令が入力操作が行われ、ディスプレイには、操作キーやメニューキーから入力された命令内容や操作内容及びファクシミリ装置１からオペレータに通知する各種情報が表示される。
【００２７】
記憶部（相手先情報記憶手段、送信モード記憶手段、画像記憶手段）７は、ＲＡＭ（Ｒａｎｄｏｍ  Ａｃｃｅｓｓ  Ｍｅｍｏｒｙ）やハードディスク等で構成され、送信画情報や受信画情報等の画像データ、メモリ送信の送信先電話番号、ワンタッチダイヤル及び短縮ダイヤルに対応付けられた送信先電話番号や送信先名称等のダイヤル情報、自己局の電話番号、名称等の自局情報び読取濃度情報や記録濃度情報等を記憶する。また、記憶部７は、ネットワーク（インターネット）を利用したファクシミリ送信を行う場合の送信相手先の電話番号とメールアドレスを対応させて記憶するとともに、当該送信相手先の受信能力情報、送信時の送信モード、送信可能モード及び送信禁止モード等の相手先情報を対応させて記憶し、この相手先情報は、操作部５のキー操作により、登録、変更、削除が可能である。
【００２８】
通信制御部８には、ＰＳＴＮ（Ｐｕｂｌｉｃ  Ｓｗｉｃｈｅｄ  Ｔｅｌｅｐｈｏｎｅ  Ｎｅｔｗｏｒｋ：公衆電話網）あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ：サービス総合デジタル網）等の公衆回線や専用回線に接続されており、通信制御部８は、自動発着呼処理や内蔵するデータモデムによる送受信信号の変・復調処理を行う。
【００２９】
ＤＣＲ（画像処理手段）９は、各種符号化方式、例えば、ＭＲ（Ｍｏｄｕｆｉｅｄ  Ｒｅｌａｔｉｖｅ  ｅｌｅｍｅｎｔ  ａｄｄｒｅｓｓ  ｄｅｓｉｇｎａｔｅ  ）符号化方式、ＭＭＲ（Ｍｏｄｉｆｉｅｄ  ＭＲ  ）符号化方式、標準モードのＭＨ方式、あるいは、ＪＢＩＧ方式等の各種符号化方式で画像データを符号化するとともに、符号化された画像データを復号化する。
【００３０】
ＬＡＮ通信制御部１０は、ＬＡＮ（Ｌｏｃａｌ  Ａｒｅａ  Ｎｅｔｗｏｒｋ）等の公衆回線に接続されたネットワークに、あるいは、直接ＰＳＴＮあるいはＩＳＤＮ等の公衆回線に接続されており、ＴＣＰ／ＩＰ、ＰＰＰ（Ｐｏｉｎｔ  ｔｏ  Ｐｏｉｎｔ  Ｐｒｏｔｏｃｏｌ  ）、あるいは、ＳＭＴＰ（Ｓｉｍｐｌｅ  Ｍａｉｌ  Ｔｒａｎｓｆｅｒ  Ｐｒｏｔｏｃｏｌ  ）／ＰＯＰ（Ｐｏｓｔ  Ｏｆｆｉｃｅ  Ｐｒｏｔｏｃｏｌ）等のプロトコルを制御して、ＬＡＮあるいは公衆回線を介して送信されてくる電子メールを受信するとともに、電子メールを相手先へ送信する。
【００３１】
特に、ＬＡＮ通信制御部１０は、Ｔ．３７フルモードでの通信機能を有しており、送達確認要求を付加した送信が可能であり、また、当該送達確認要求に基づく相手先からの送達確認応答メールを受信する。そして、受信側のファクシミリ装置は、この送達確認応答メールに、ファクシミリ受信が正常に行われたか否か（ＯＫかＮＧか）を送信側に通知する受信結果情報（すなわち、送信側にとっては、送信結果情報）や受信側の受信能力（受信機能）を付加することができる。
【００３２】
主制御部（制御手段）２は、ＲＯＭ（Ｒｅａｄ  Ｏｎｌｙ  Ｍｅｍｏｒｙ）、ＲＡＭ及びＣＰＵ（Ｃｅｎｔｒａｌ  Ｐｒｏｃｅｓｓｉｎｇ  Ｕｎｉｔ  ）等を備えており、ＲＯＭ内には、ファクシミリ装置１の基本処理プログラム及び後述する相手先情報管理処理プログラム等の各種プログラムが記憶されているとともに、各プログラムを実行するのに必要な各種システムデータやその他のデータが記憶されている。主制御部２は、ＣＰＵが、ＲＯＭ内のプログラムに基づいて、ＲＡＭをワークメモリとして利用して、ファクシミリ装置１の各部を制御して、ファクシミリ装置１としての基本処理を実行するとともに、後述する相手先情報管理処理を実行する。
【００３３】
そして、上記ファクシミリ装置１は、図２に示すように、機能ブロック構成されており、ファクシミリ装置１は、制御機能部２１、画像記憶機能部２２、相手先情報記憶機能部２３、送信モード記憶機能部２４、画像処理機能部２５、ネットワークファクシミリ送受信機能部２６、送信モード判定機能部２７及び応答メール解読機能部２８等の各種機能部を備え、ＩＴＵ−Ｔ勧告Ｔ．３７フルモードを利用して、送信モードと送信相手先の機能に応じて適切なモードで画像データを送信する。
【００３４】
制御機能部２１、送信モード判定機能部２７及び応答メール解読機能部２８は、上記主制御部２によりその機能が実現され、画像記憶機能部２２、相手先情報記憶機能部２３、送信モード記憶機能部２４は、上記記憶部７によりその機能が実現される。画像処理機能部２５は、上記ＤＣＲ９によりその機能が実現され、ネットワークファクシミリ送受信機能部２６は、上記ＬＡＮ通信制御部１０によりその機能が実現される。
【００３５】
すなわち、画像記憶機能部２２は、制御機能部２１の制御下で、主に送信用の画像データをファイル単位で画像ファイルとして記憶し、相手先情報記憶機能部２３は、送信相手先のメールアドレスと対応させて、操作部５で設定操作された当該相手先の受信能力または送達要求に基づく当該相手先からの送達確認応答メールで通知された当該相手先の受信能力を送信相手先毎に記憶するとともに、送信可能モードを送信相手先毎に記憶する。
【００３６】
画像処理機能部２５は、制御機能部２１の制御下で、送信ファイルの画像データを送信モードに応じたパラメータで画像処理する。
【００３７】
ネットワークファクシミリ送受信機能部２６は、制御機能部２１の制御下で、ネットワークを経由して、画像処理機能部２５で送信モードに応じたパラメータで画像処理した画像ファイルをファクシミリ送受信するとともに、相手先からの送達確認要求を付加したネットワーク経由でのファクシミリ送受信機能であるＩＴＵ−Ｔ勧告Ｔ．３７フルモード機能を備えている。
【００３８】
送信モード判定機能部２７は、制御機能部２１の制御下で、ファクシミリ送信の送信モードを判定し、応答メール解読機能部２８は、ネットワークファクシミリ送受信機能部２６が受信した送達確認応答メールを解読して、制御機能部２１に通知する。
【００３９】
送信モード記憶機能部２４は、制御機能部２１の制御下で、送達確認要求を付加したファクシミリ送信時に、当該送信モードを記憶する。
【００４０】
制御機能部２１は、送達確認要求を付加したファクシミリ送信時に、当該送信モードを送信モード記憶機能部２４に記憶させ、当該送信先からの送達確認応答メールで受信能力が通知されて、当該受信能力を応答メール解読機能部２８が解読すると、当該受信能力を当該送信相手先の受信能力として相手先情報記憶記憶部２３に記憶させ、当該送達確認応答メールに受信能力が通知されていない場合であっても、応答メール解読機能部２８が当該送達確認応答メールから通信結果が良好であることを解読すると、送信モード記憶機能部２４に記憶させた当該ファクシミリ送信の送信モードを、当該送信相手先の送信可能モードとして相手先情報記憶機能部２３に記憶させる。また、制御機能部２１は、送達確認要求を付加したファクシミリ送信時に、送信モード記憶機能部２４に当該送信モードを記憶させ、当該送信先からの送達確認応答メールに受信能力が通知されていない場合であっても、応答メール解読機能部２８が当該送達確認応答メールから通信結果が不良好であることを解読すると、送信モード記憶機能部２４に記憶させた当該ファクシミリ送信の送信モードを、当該送信相手先の送信禁止モードとして相手先情報記憶機能部２３に記憶させる。さらに、制御機能部２１は、送達確認要求を付加したファクシミリ送信時に、当該ファクシミリ送信の画像ファイルを画像記憶機能部２２に記憶させ、当該ファクシミリ送信を画像処理機能部２５で標準のパラメータ以外のパラメータで画像処理した画像ファイルを送信した場合には、当該送信先からの送達確認応答メールを受信するまで当該画像ファイルを画像記憶機能部２２に保存し、当該送信先から通信結果が不良好である旨の送達確認応答メールを受信すると、画像記憶機能部２２の画像データを画像処理機能部２５で標準のパラメータの画像に変換した後、再度、ネットワークファクシミリ送受信機能部２６に当該送信先にファクシミリ送信させる。
【００４１】
次に、本実施の形態の作用を説明する。ファクシミリ装置１は、ＩＴＵ−Ｔ勧告Ｔ．３７フルモードを利用して、原稿を読み取った読取モードと送信相手先の受信機能に応じて適切なモードで画像データを送信するところにその特徴がある。
【００４２】
すなわち、ファクシミリ装置１は、記憶部７の相手先情報記憶機能部２３にメールアドレスの記憶されている相手先を、操作部５のワンタッチボタン等で指定して、当該相手先に対する送信操作が操作部５で行われると（ステップＳ１０１）、主制御部２が、当該送信モードであるスキャナ３での原稿の読取モード、すなわち、送信モードを送信モード判定機能部２７で判定して、判定した送信モードを記憶部７の送信モード記憶機能部２４に記憶させた後、当該読取モード（送信モード）がデフォルト（標準）のパラメータの読取モード（送信モード）であるかをチェックし（ステップＳ１０２）、デフォルトのパラメータの送信モードであると、スキャナ３で原稿を読み取った画像データの画像ファイルを記憶部７の画像記憶機能部２２に保存した後、当該画像ファイルを通常のファクシミリ送信処理で送信して（ステップＳ１０３）、ファクシミリ送信が完了すると、記憶部７の画像ファイルを消去して、処理を終了する（ステップＳ１０９）。
【００４３】
ステップＳ１０２で、デフォルトのパラメータ以外のパラメータの送信モードであると、主制御部２は、記憶部７の相手先情報記憶機能部２３に記憶されている当該相手先に送信禁止モードとして当該送信モードが設定されているかチェックし（ステップＳ１０４）、当該送信モードが送信可能（送信許可）モードであると、上記同様に、通常送信を行った後、記憶部７の画像ファイルを消去して、処理を終了する（ステップＳ１０９）。
【００４４】
ステップＳ１０４で、記憶部７の相手先情報記憶機能部２３に記憶されている当該相手先に送信禁止モード及び送信可能モードとして当該送信モードが設定されていないときには、主制御部２は、スキャナ３で原稿を読み取った画像ファイルを記憶部７の画像記憶機能部２２に保存した後、当該画像ファイルを送達確認要求を付加して、ＬＡＮ通信制御部１０に当該相手先へファクシミリ送信させる（ステップＳ１０５）。
【００４５】
主制御部２は、送達確認要求を付加したファクシミリ送信が完了すると、当該相手先からの送達確認応答メールをＬＡＮ通信制御部１０が受信するのを待って（ステップＳ１０６）、送信結果が良好（ＯＫ）であるかを応答メール解読機能部２８の解読結果に基づいて、判定する（ステップＳ１０７）。
【００４６】
ステップＳ１０７で、送信結果がＯＫであると、主制御部２は、記憶部７の送信モード記憶機能部２４に記憶されている送信モードを、記憶部７の相手先情報記憶機能部２３の当該相手先の相手先情報の送信許可モードとして設定し（ステップＳ１０８）、記憶部７の画像ファイルを消去して、処理を終了する（ステップＳ１０９）。
【００４７】
ステップＳ１０７で、送信結果が不良好（ＮＧ）であると、主制御部２は、記憶部７の送信モード記憶機能部２４に記憶されている送信モードを、記憶部７の相手先情報記憶機能部２３の当該相手先の相手先情報の送信禁止モードとして設定し（ステップＳ１１０）、記憶部７の画像記憶機能部２２に保存されている当該相手先宛の画像ファイルをＤＣＲ９に当該相手先に最適なパラメータの送信モード、例えば、標準パラメータの送信モードに画像変換処理を行わせる（ステップＳ１１１）。
【００４８】
主制御部２は、画像変換が完了すると、ステップＳ１０２に戻って、上記同様に処理して、ファクシミリ送信を正常に完了すると、記憶部７の画像記憶機能部２２の当該送信の完了した画像ファイルを消去して、処理を終了する（ステップＳ１０９）。
【００４９】
このように、本実施の形態のファクシミリ装置１は、ネットワークに接続され、ＩＴＵ−Ｔ勧告Ｔ．３７フルモード機能で、当該ネットワークを経由して、少なくとも、ＤＣＲ８で送信モードに応じたパラメータで画像処理した画像ファイルを送達確認要求を付加してＬＡＮ通信制御部１０からファクシミリ送信するに際して、記憶部７の相手先情報記憶機能部２３に、送信相手先のメールアドレスと対応させて、操作部５で設定操作された当該相手先の受信能力または送達確認要求に基づく当該相手先からの送達確認応答メールで通知された当該相手先の受信能力を送信相手先毎に記憶し、主制御部２が、送達確認要求を付加したファクシミリ送信時に、当該送信モードを記憶部７の送信モード記憶機能部２４に記憶させ、当該送信先からの送達確認応答メールで受信能力が通知されていると、当該受信能力を当該送信相手先の受信能力として記憶部７の相手先情報記憶機能部２３に記憶させ、当該送達確認応答メールで受信能力が非通知であっても、当該送達確認応答メールで通信結果が良好であることが確認されると、記憶部７の送信モード記憶機能部２４に記憶させた送信モードを、当該送信相手先の送信可能モードとして記憶部７の相手先情報記憶機能部２３に記憶させている。
【００５０】
したがって、受信側が送達確認応答メールに受信能力を通知する機能を有していない場合にも、ＩＴＵ−Ｔ勧告Ｔ．３７フルモードと同等の利用性を実現して、送信相手先の受信能力を簡単かつ適切に取得することができ、ネットワークを利用した画像ファイルのファクシミリ送信を適切かつ効率的に行うことができる。
【００５１】
また、本実施の形態のファクシミリ装置１は、主制御部２が、送達確認要求を付加したファクシミリ送信時に、当該送信先からの送達確認応答メールで受信能力が非通知であっても、当該送達確認応答メールで通信結果が不良好であることが確認されると、記憶部７の送信モード記憶機能部２４に記憶させた送信モードを、当該送信相手先の送信禁止モードとして記憶部７の相手先情報記憶機能部２３に記憶させている。
【００５２】
したがって、利用できない通信モードで不用意にファクシミリ送信することを未然に防止することができ、ネットワークを利用した画像ファイルのファクシミリ送信をより一層適切かつ効率的に行うことができる。
【００５３】
さらに、本実施の形態のファクシミリ装置１は、主制御部２が、少なくとも送達確認要求を付加したファクシミリ送信時に、ＤＣＲ９で標準のパラメータ以外のパラメータで画像処理した画像ファイルをファクシミリ送信した場合には、当該送信先からの送達確認応答メールを受信するまで当該画像ファイルを記憶部７の画像記憶機能部２２に保存し、当該送信先から通信結果が不良好である旨の送達確認応答メールを受信すると、記憶部７の画像記憶機能部２２の画像ファイルを標準のパラメータの画像ファイルにＤＣＲ９で変換した後、再度、当該送信先にファクシミリ送信している。
【００５４】
したがって、送信ＮＧとなった画像ファイルを適切な状態で再送することができ、ネットワークを利用した画像ファイルのファクシミリ送信をより一層適切かつより一層効率的に行うことができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
請求項１記載の発明のファクシミリ装置によれば、ネットワークに接続され、ＩＴＵ−Ｔ勧告Ｔ．３７フルモード機能で、当該ネットワークを経由して、少なくとも、画像処理手段で送信モードに応じたパラメータで画像処理した画像ファイルを送達確認要求を付加してファクシミリ送信するに際して、相手先情報記憶手段に、送信相手先のメールアドレスと対応させて、設定操作された当該相手先の受信能力または送達確認要求に基づく当該相手先からの送達確認応答メールで通知された当該相手先の受信能力を送信相手先毎に記憶し、制御手段が、送達確認要求を付加したファクシミリ送信時に、当該送信モードを送信モード記憶手段に記憶させ、当該送信先からの送達確認応答メールで受信能力が通知されていると、当該受信能力を当該送信相手先の受信能力として相手先情報記憶手段に記憶させ、当該送達確認応答メールで受信能力が非通知であっても、当該送達確認応答メールで通信結果が良好であることが確認されると、送信モード記憶手段に記憶させた送信モードを、当該送信相手先の送信可能モードとして相手先情報記憶手段に記憶させるので、受信側が送達確認応答メールに受信能力を通知する機能を有していない場合にも、ＩＴＵ−Ｔ勧告Ｔ．３７フルモードと同等の利用性を実現して、送信相手先の受信能力を簡単かつ適切に取得することができ、ネットワークを利用した画像ファイルのファクシミリ送信を適切かつ効率的に行うことができる。
【００５７】
請求項２記載の発明のファクシミリ装置によれば、制御手段が、送達確認要求を付加したファクシミリ送信時に、当該送信先からの送達確認応答メールで受信能力が非通知であっても、当該送達確認応答メールで通信結果が不良好であることが確認されると、送信モード記憶手段に記憶させた送信モードを、当該送信相手先の送信禁止モードとして相手先情報記憶手段に記憶させるので、利用できない通信モードで不用意にファクシミリ送信することを未然に防止することができ、ネットワークを利用した画像ファイルのファクシミリ送信をより一層適切かつ効率的に行うことができる。
【００５８】
請求項３制御手段が、少なくとも送達確認要求を付加したファクシミリ送信時に、画像処理手段で標準のパラメータ以外のパラメータで画像処理した画像ファイルをファクシミリ送信した場合には、当該送信先からの送達確認応答メールを受信するまで当該画像ファイルを画像記憶手段に保存し、当該送信先から通信結果が不良好である旨の送達確認応答メールを受信すると、画像記憶手段の画像ファイルを標準のパラメータの画像ファイルに画像処理手段で変換した後、再度、当該送信先にファクシミリ送信するので、送信ＮＧとなった画像ファイルを適切な状態で再送することができ、ネットワークを利用した画像ファイルのファクシミリ送信をより一層適切かつより一層効率的に行うことができる。
【図面の簡単な説明】
【図１】本発明のファクシミリ装置の一実施の形態を適用したファクシミリ装置の要部ブロック構成図。
【図２】図１のファクシミリ装置の主要部の機能ブロック図。
【図３】図１のファクシミリ装置による相手先情報管理処理を伴う通信制御処理を示すフローチャート。
【符号の説明】
１  ファクシミリ装置
２  主制御部
３  スキャナ
４  プロッタ
５  操作部
６  表示部
７  記憶部
８  通信制御部
９  ＤＣＲ
１０  ＬＡＮ通信制御部
１１  バス
２１  制御機能部
２２  画像記憶機能部
２３  相手先情報記憶機能部
２４  送信モード記憶機能部
２５  画像処理機能部
２６  ネットワークファクシミリ送受信機能部
２７  送信モード判定機能部
２８  応答メール解読機能部
【図１】
2004328089.tif 000003
【図２】
2004328089.tif 000004
【図３】
2004328089.tif 000005